(57)【要約】【課題】低負荷領域、及びこれより負荷が大きい中負荷領域においても良好に燃費の向上を図ることができる内燃機関の可変動弁システム及びその制御装置を提供することにある。【解決手段】第１負荷領域では、排気バルブ５が閉じられる排気閉時期が排気上死点前の第１排気閉時期(ＥＶＣ１)に設定されると共に、吸気バルブが開かれる開時期が排気上死点後の第１吸気開時期(ＩＶＯ１)に設定されて、排気バルブと吸気バルブには負バルブオーバーラップ区間(ＮＶＯ)が形成され、第１負荷領域を超える第２負荷領域では排気閉時期が排気上死点後の第２排気閉時期(ＥＶＣ２)に設定されると共に、吸気開時期が排気上死点前の第２吸気開時期(ＩＶＯ２)に設定されて、排気バルブと吸気バルブには正バルブオーバーラップ区間(ＰＶＯ)が形成される。【選択図】図３
2020007927.tif 000002
【特許請求の範囲】
【請求項１】
少なくとも、内燃機関に設けられた排気バルブの閉時期(以下、「排気閉時期(ＥＶＣ)」と表記する)を調整する排気側可変動弁機構と、前記内燃機関に設けられた吸気バルブの開時期(以下、「吸気開時期(ＩＶＯ)」と表記する)を調整する吸気側可変動弁機構とを有し、
所定の第１負荷領域では、前記排気側可変動弁機構によって前記排気閉時期(ＥＶＣ)が排気上死点(ＴＤＣ)より前の第１排気閉時期(ＥＶＣ１)に設定されると共に、前記吸気側可変動弁機構によって前記吸気開時期(ＩＶＯ)が前記排気上死点(ＴＤＣ)より後の第１吸気開時期(ＩＶＯ１)に設定されて、前記排気バルブと前記吸気バルブには負バルブオーバーラップ区間(ＮＶＯ１)が形成され、
前記第１負荷領域を超える所定の第２負荷領域では、前記排気側可変動弁機構によって前記排気閉時期(ＥＶＣ)が前記排気上死点(ＴＤＣ)より後の第２排気閉時期(ＥＶＣ２)に設定されると共に、前記吸気側可変動弁機構によって前記吸気開時期(ＩＶＯ)が前記排気上死点(ＴＤＣ)より前の第２吸気開時期(ＩＶＯ２)に設定されて、前記排気バルブと前記吸気バルブには正バルブオーバーラップ区間(ＰＶＯ２)が形成される
ことを特徴とする内燃機関の可変動弁システム。
【請求項２】
請求項1に記載の内燃機関の可変動弁システムにおいて、
前記正バルブオーバーラップ区間(ＰＶＯ２)の位相角は、前記負バルブオーバーラップ区間(ＮＶＯ１)の位相角と同じか、或いはこれより大きい
ことを特徴とする内燃機関の可変動弁システム。
【請求項３】
請求項1に記載の内燃機関の可変動弁システムにおいて、
前記第１負荷領域では、前記排気側可変動弁機構によって前記排気バルブの開時期(以下、「排気開時期(ＥＶＯ)」と表記する)が排気下死点(ＢＤＣ)より前の第１排気開時期(ＥＶＯ１)に設定されると共に、
前記第２負荷領域では、前記排気側可変動弁機構によって前記排気バルブの前記排気開時期（ＥＶＯ）が前記排気下死点(ＢＤＣ)の付近の第２排気開時期(ＥＶＯ２)に遅角される
ことを特徴とする内燃機関の可変動弁システム。
【請求項４】
請求項1に記載の内燃機関の可変動弁システムにおいて、
前記負バルブオーバーラップ区間(ＮＶＯ１)から前記正バルブオーバーラップ区間(ＰＶＯ２)へ遷移する過渡時では、過渡ピークトルク抑制手段によって過渡ピークトルクの発生が抑制される
ことを特徴とする内燃機関の可変動弁システム。
【請求項５】
請求項４に記載の内燃機関の可変動弁システムにおいて、
前記過渡ピークトルク抑制手段は前記吸気側可変動弁機構であって、
前記吸気側可変動弁機構によって、前記吸気バルブの閉時期(以下、「吸気閉時期(ＩＶＣ)と表記する)が、吸気下死点(ＢＤＣ)より進角、或いは遅角された位相角に設定される
ことを特徴とする内燃機関の可変動弁システム。
【請求項６】
請求項1に記載の内燃機関の可変動弁システムにおいて、
前記吸気側可変動弁機構によって、前記第１負荷領域での前記吸気バルブの吸気閉時期(以下、「吸気閉時期(ＩＶＣ)と表記する)が吸気下死点(ＢＤＣ)を超えた遅角側の第１吸気閉時期(ＩＶＣ１)に設定され、且つ第２負荷領域での第２吸気閉時期(ＩＶＣ２)も前記吸気下死点(ＢＤＣ)を越えた遅角側の第２吸気閉時期(ＩＶＣ２)に設定される
ことを特徴とする内燃機関の可変動弁システム。
【請求項７】
請求項1に記載の内燃機関の可変動弁システムにおいて、
前記吸気側可変動弁機構によって、前記第１負荷領域での前記吸気バルブの吸気閉時期(以下、「吸気閉時期(ＩＶＣ)と表記する)が吸気下死点(ＢＤＣ)を超えた遅角側の第１吸気閉時期(ＩＶＣ１)に設定され、且つ第２負荷領域での第２吸気閉時期(ＩＶＣ２)は前記吸気下死点(ＢＤＣ)より前の進角側の第２吸気閉時期(ＩＶＣ２)に設定される
ことを特徴とする内燃機関の可変動弁システム。
【請求項８】
請求項1に記載の内燃機関の可変動弁システムにおいて、
前記第１負荷領域での前記第１吸気開時期(ＩＶＯ１)は、前記吸気側可変動弁機構のデフォルト位置（機械的安定位置）と略一致し、前記第１負荷領域での前記第１排気閉時期(ＥＶＣ１)は、前記排気側可変動弁機構のデフォルト位置（機械的安定位置）と略一致する
ことを特徴とする内燃機関の可変動弁システム。
【請求項９】
請求項1に記載の内燃機関の可変動弁システムにおいて、
負荷が前記第２負荷領域より大きい第３負荷領域に達すると、
前記第２負荷領域に比べて、前記排気側可変動弁機構によって前記排気閉時期(ＥＶＣ)が前記排気上死点(ＴＤＣ)まで進角されて第３排気閉時期(ＥＶＣ３)に設定されると共に、前記吸気側可変動弁機構によって前記吸気開時期(ＩＶＯ)が前記排気上死点(ＴＤＣ)まで遅角されて第３吸気開時期(ＩＶＯ３)に設定されて、前記負バルブオーバーラップ区間(ＮＶＯ１)、及び前記正バルブオーバーラップ区間(ＰＶＯ２)が存在しないゼロバルブオーバーラップ(「０」ＶＯ)が形成され、更に外部ＥＧＲ弁が開かれて外部ＥＧＲガスが導入される
ことを特徴とする内燃機関の可変動弁システム。
【請求項１０】
請求項９に記載の内燃機関の可変動弁システムにおいて、
前記第１負荷領域から前記第３負荷領域に負荷領域が大きく変化した場合は、前記排気側可変動弁機構と前記吸気側可変動弁機構によって、前記正バルブオーバーラップ区間(ＰＶＯ２)を経過せずに、 前記負バルブオーバーラップ区間(ＮＶＯ１)から前記ゼロバルブオーバーラップ(「０」ＶＯ)に遷移される
ことを特徴とする内燃機関の可変動弁システム。
【請求項１１】
請求項９、或いは請求項１０に記載の内燃機関の可変動弁システムにおいて、
負荷が前記第３負荷領域より大きい第４負荷領域に達すると、
前記第３負荷領域に比べて、前記排気側可変動弁機構によって前記排気閉時期(ＥＶＣ)が前記排気上死点(ＴＤＣ)より遅角されて第４排気閉時期(ＥＶＣ４)に設定されると共に、前記吸気側可変動弁機構によって前記吸気開時期(ＩＶＯ)が前記排気上死点(ＴＤＣ)に第４吸気開時期(ＩＶＯ４)として設定されて、前記正バルブオーバーラップ区間(ＰＶＯ４)が形成され、更に外部ＥＧＲ弁が閉じられて外部ＥＧＲガスの導入が中断される
ことを特徴とする内燃機関の可変動弁システム。
【請求項１２】
請求項1に記載の内燃機関の可変動弁システムにおいて、
前記第１負荷領域と前記第２負荷領域の切り換えを判定する負荷判定閾値は、前記第１負荷領域から前記第２負荷領域に遷移する時と、前記第２負荷領域から前記第１負荷領域に遷移する時とでは、ヒステリシスが設定されている
ことを特徴とする内燃機関の可変動弁システム。
【請求項１３】
排気バルブの排気閉時期を変化させる排気側可変動弁機構と、吸気バルブの吸気開時期を変化させる吸気側可変動弁機構とを有する内燃機関に使用され、前記排気側可変動弁機構、及び前記吸気側可変動弁機構を制御する制御手段を備えた内燃機関の可変動弁システムの制御装置であって、
前記制御手段は、前記内燃機関の負荷領域が所定の第１負荷領域の状態では、前記排気側可変動弁機構によって前記排気バルブの排気閉時期(ＥＶＣ)を排気上死点(ＴＤＣ)より前の第１排気閉時期(ＥＶＣ１)に設定し、且つ前記吸気側可変動弁機構によって前記吸気バルブの吸気開時期(ＩＶＯ)を前記排気上死点(ＴＤＣ)より後の第１吸気開時期(ＩＶＯ１)に設定して、前記排気バルブと前記吸気バルブに負バルブオーバーラップ区間(ＮＶＯ１)を形成し、
更に、前記内燃機関の負荷領域が前記第１負荷領域よりも大きい第２負荷領域の状態では、前記排気側可変動弁機構によって前記排気バルブの排気閉時期(ＥＶＣ)を前記排気上死点(ＴＤＣ)より後の第２排気閉時期(ＥＶＣ２)に設定し、且つ前記吸気側可変動弁機構によって前記吸気バルブの吸気開時期(ＩＶＯ)を前記排気上死点(ＴＤＣ)より前の第２吸気開時期(ＩＶＯ２)に設定して、前記排気バルブと前記吸気バルブに正バルブオーバーラップ区間(ＰＶＯ２)を形成する
ことを特徴とする内燃機関の可変動弁システムの制御装置。
【請求項１４】
請求項１３に記載の内燃機関の可変動弁システムの制御装置であって、
前記制御手段は、前記第１負荷領域から前記第２負荷領域へ遷移する過渡時において、前記吸気バルブの吸気閉時期(ＩＶＣ)を吸気下死点(ＢＤＣ)より遅角する方向に移動する
ことを特徴とする内燃機関の可変動弁システムの制御装置。
【請求項１５】
請求項１３に記載の内燃機関の可変動弁システムの制御装置であって、
前記制御手段は、前記第１負荷領域から前記第２負荷領域へ遷移する過渡時において、点火時期を遅角する遅角制御を実行する
ことを特徴とする内燃機関の可変動弁システムの制御装置。
【発明の詳細な説明】
【技術分野】
【０００１】
本発明は内燃機関の可変動弁システムに係り、特に排気バルブと吸気バルブのバルブタイミングを制御する可変動弁機構を備えた内燃機関の可変動弁システム及びその制御装置に関するものである。
【背景技術】
【０００２】
自動車の燃料消費量や排気ガス有害成分に関する規制が強化されており、今後もますます厳しくなる傾向にある。特に燃料消費量(以下、燃費と表記する)については、排出される二酸化炭素が地球温暖化へ与える影響が大きいことから、更なる低燃費化が要請されている。
【０００３】
このような背景から、最近では内燃機関の排気バルブのバルブタイミング(開時期や閉時期)を制御する排気側可変動弁機構や、あるいは吸気バルブのバルブタイミング(開時期や閉時期)を制御する吸気側可変動弁機構からなる可変動弁システムを、内燃機関に搭載することが提案されている。
【０００４】
そして、低燃費化を図るための１つの方法として、ポンプ損失を低減することが有効であり、例えば、自動車工学・１９９５年９月号「トヨタＶＶＴ-ｉ」(非特許文献１)には、吸気側可変動弁機構を利用して、中負荷領域(＝部分負荷領域)での燃費を向上するために、排気バルブの開いている作動角と吸気バルブの開いている作動角が相互に重なり合う正バルブオーバーラップ(ＰＶＯ：Positive Valve Overlap)区間を設定する可変動弁システムが提案されている。
【０００５】
このように、中負荷領域で正バルブオーバーラップ区間(ＰＶＯ)を設定すると、吸気バルブと排気バルブの両方が開いているので、ピストンが下降する時に生じるポンプ損失が低減され、この分だけ燃費を向上することができる。
【先行技術文献】
【非特許文献】
【０００６】
【非特許文献１】自動車工学・１９９５年９月号「トヨタＶＶＴ-ｉ」
【発明の概要】
【発明が解決しようとする課題】
【０００７】
このように、中負荷領域で正バルブオーバーラップ区間(ＰＶＯ)を設定すると、ポンプ損失の低減などの理由により燃費を向上することができる。しかしながら、この正バルブオーバーラップ区間(ＰＶＯ)を低負荷領域で設定すると、排気ガスの一部が吸気系に戻されて、そこで冷やされて、筒内に再吸入されるので、再吸入時の該排気ガスの温度はその分低下してしまい、燃焼素質が良くない低負荷域においては、混合ガスの燃焼が悪化するという現象を生じ、結果的に燃費の改善が期待できないという課題が新たに発生する。
【０００８】
本発明の目的は、少なくとも、低負荷領域(第１負荷領域)、及びこれより負荷が大きい中負荷領域(第２負荷領域)においても良好に燃費の向上を図ることができる内燃機関の可変動弁システム及びその制御装置を提供することにある。
【課題を解決するための手段】
【０００９】
本発明の特徴は、所定の第１負荷領域では、排気側可変動弁機構によって排気バルブが閉じられる排気閉時期(ＥＶＣ)が排気上死点(ＴＤＣ)より前の第１排気閉時期(ＥＶＣ１)に設定されると共に、吸気側可変動弁機構によって吸気バルブが開かれる吸気開時期(ＩＶＯ)が排気上死点(ＴＤＣ)より後の第１吸気開時期(ＩＶＯ１)に設定されて、排気バルブと吸気バルブには負バルブオーバーラップ区間(ＮＶＯ１)が形成され、第１負荷領域を超える所定の第２負荷領域では、排気側可変動弁機構によって排気閉時期(ＥＶＣ)が排気上死点(ＴＤＣ)より後の第２排気閉時期(ＥＶＣ２)に設定されると共に、吸気側可変動弁機構によって吸気開時期(ＩＶＯ)が排気上死点(ＴＤＣ)より前の第２吸気開時期(ＩＶＯ２)に設定されて、排気バルブと吸気バルブには正バルブオーバーラップ区間(ＰＶＯ２)が形成される、ところにある。
【発明の効果】
【００１０】
本発明によれば、第１負荷領域においては、負バルブオーバーラップ区間(ＮＶＯ１)の設定による高温の内部ＥＧＲガスで燃焼室を高温化して燃焼を改善することで燃費を向上し、更に第１負荷領域より大きい第２負荷領域においては、正バルブオーバーラップ区間(ＰＶＯ２)に切り換えて設定することで、ポンプ損失を低減すると共に、負オーバーラップ区間(ＮＶＯ１)での内部ＥＧＲガスより低温の内部ＥＧＲガスとしてノック発生を抑制することで燃費を向上することができ、結果的に広い範囲の負荷領域に亘って燃費の向上を図ることができる。
【図面の簡単な説明】
【００１１】
【図１】本発明に係る内燃機関の可変動弁システムの全体概略図である。
【図２】吸気側可変動弁機構と排気側可変動弁機構の外観構成を示す斜視図である。
【図３】本発明の第１の実施形態になる、負荷領域と、吸気バルブと排気バルブのバルブ特性と、外部ＥＧＲ弁の開度との関係を説明する説明図である。
【図４】本発明の第１の実施形態になる内燃機関の可変動弁システムで、始動時から最大負荷領域までの排気バルブと吸気バルブのバルブオーバーラップ、及び吸気バルブと排気バルブのバルブタイミングの関係を説明する説明図である。
【図５】本発明の第１の実施形態になる内燃機関の可変動弁システムで、アイドルから最大負荷領域までの排気バルブと吸気バルブのバルブオーバーラップ、燃焼室内のガス温度、及び燃焼室内のＥＧＲ率の変化状態を説明する説明図である。
【図６Ａ】本発明の第１の実施形態になる内燃機関の可変動弁システムで、始動時から最大負荷領域までの制御を実行する制御フローの前半を示すフローチャートである。
【図６Ｂ】本発明の第１の実施形態になる内燃機関の可変動作システムで、始動時から最大負荷領域までの制御を実行する制御フローの後半を示すフローチャートである。
【図７】本発明の第１の実施形態の変形例になる制御フローを示すフローチャートである。
【図８】本発明の第１の実施形態の変形例で、始動時から最大負荷領域までの排気バルブと吸気バルブのバルブオーバーラップ、及び吸気バルブと排気バルブのバルブタイミングの関係を説明する説明図である。
【図９】本発明の第２の実施形態になる、負荷領域と、吸気バルブと排気バルブのバルブ特性と、外部ＥＧＲ弁の開度との関係を説明する説明図である。
【図１０】本発明の第２の実施形態になる内燃機関の可変動作システムの制御フローを示すフローチャートである。
【発明を実施するための形態】
【００１２】
以下、本発明の実施形態について図面を用いて詳細に説明するが、本発明は以下の実施形態に限定されることなく、本発明の技術的な概念の中で種々の変形例や応用例をもその範囲に含むものである。
【実施例１】
【００１３】
本発明の第１の実施形態になる内燃機関の可変動弁システムについて説明するが、図１は本発明が適用される内燃機関の可変動弁システムの全体の構成を示している。
【００１４】
まず、内燃機関の可変動弁システムの基本構成を図１に基づいて説明すると、シリンダブロックＣＢ内に形成されたシリンダボア内を、燃焼圧力などによって上下に摺動自在に設けられたピストン０１と、シリンダヘッドＣＨの内部にそれぞれ形成された吸気ポートＩＰ及び排気ポートＥＰと、シリンダヘッドＣＨに摺動自在に設けられて吸、排気ポートＩＰ、ＥＰの開口端を開閉する一気筒当たりそれぞれ一対の吸気バルブ４及び排気バルブ５とを備えている。
【００１５】
ピストン０１は、クランクシャフトとコンロッド０２を介して連結されていると共に、冠面０３とシリンダヘッドＣＨの下面との間に燃焼室０４を形成している。また、シリンダヘッドＣＨのほぼ中央には、点火栓０５が設けられている。
【００１６】
吸気ポートＩＰはエアクリーナ５０と接続されており、電制スロットルバルブ５１を介して吸入空気が供給されている。電制スロットルバルブ５１は、コントローラ(＝制御手段)５２によって制御されており、基本的にはアクセルペダルの踏込量に対応してその開度が制御されている。また、排気ポートＥＰは、排気ガス浄化触媒５３を介してテールパイプから排気ガスを大気に放出している。
【００１７】
次に外部ＥＧＲシステムについて説明する。排気ガス浄化触媒５３の下流と電制スロットルバルブ５１の上流とは、排気ガス再循環通路(以下、外部ＥＧＲ通路と表記する)５４によって接続されており、この外部ＥＧＲ通路５４の途中には、外部ＥＧＲガスを冷却するＥＧＲクーラー５５と、その下流に配置された外部ＥＧＲガスの流量を制御する外部ＥＧＲ弁５６が設けられている。外部ＥＧＲ弁５６は、電動モータで駆動される電制弁であり、コントローラ５２からの制御信号によって外部ＥＧＲガス流量を調整するものである。
【００１８】
この外部ＥＧＲ弁５６は、バタフライ弁などが使用され、外部ＥＧＲガスの流量をほぼ「０」まで絞った最小開度位置から、多量の外部ＥＧＲガスを流す大開度位置まで制御できるようになっている。この大開度位置は最大流量が得られる開度位置でも良いが、これに限らず必要とされる要求流量に応じて開度を設定するものであっても良い。更に、外部ＥＧＲ弁５６は異常や故障が発生すると、駆動信号が遮断されて機械的に最小開度位置に設定されるフェールセーフ機能を備えている。
【００１９】
また、本実施形態では、排気ガス浄化触媒５３の後流で排気圧力及び排気温度が或る程度低下した部分から外部ＥＧＲガスを取り出す、いわゆる「ＬＰ−ＥＧＲシステム」（ロープレッシャＥＧＲシステム）であり、外部ＥＧＲガスの温度は低めであるのに加え、外部ＥＧＲ弁５６の上流側にはＥＧＲクーラー５５が設けられているので、外部ＥＧＲガスの温度を更に低下させて、高負荷領域における耐ノック性を向上するようにしている。つまり、外部ＥＧＲ弁５６から供給される排気ガスは温度が低くなっているので、燃焼室内に供給される全体の混合ガス温度は、低くなる傾向となる。
【００２０】
更に、この内燃機関には、図１に示すように吸気バルブ４と排気バルブ５の開弁特性を制御する吸気側可変動弁機構、排気側可変動弁機構とが備えられている。吸気側には、吸気バルブ４のバルブリフトの中心位相角を制御する「位相角可変機構」である吸気側可変動弁機構（以下、吸気側ＶＴＣ機構と表記する）１Ａが設けられ、また、排気側には、排気バルブ５のバルブリフトの中心位相角を制御する「位相角可変機構」である排気側可変動弁機構（以下、排気側ＶＴＣ機構と表記する）１Ｂが設けられている。
【００２１】
吸気側ＶＴＣ機構１Ａ、及び排気側ＶＴＣ機構１Ｂは、位相制御用油圧アクチュエータ２Ａ、２Ｂを備えており、油圧によって吸気バルブ４と排気バルブ５の開閉時期を制御する構成となっている。位相制御用油圧アクチュエータ２Ａ、２Ｂへの油圧供給は、コントローラ５２からの制御信号に基づき、図示しない油圧制御部によって制御されている。この位相制御用油圧アクチュエータ２Ａ、２Ｂへの油圧制御によって、リフト特性の中心位相が遅角側、或いは進角側に制御される。
【００２２】
図２において、排気カム軸１０には気筒あたり２個の排気カム１１が設けられている。この排気カム１１は、排気バルブ５を開閉するものである。また、排気カム軸１０の一端には、スプロケット機構１３と、これに固定された排気側ＶＴＣ機構１Ｂが取り付けられており、排気カム軸１０をスプロケット機構１３に対して相対回転（位相変換）させて排気カム１１の相対回転位置を制御している。
【００２３】
スプロケット機構１３は、タイミングスプロケット１５を備えており、図示しないタイミングベルトによってクランク軸に同期して回転されている。また、排気側ＶＴＣ機構１Ｂは、ハウジング１６と、このハウジング１６の両端に固定されたフロントカバー１７とリアカバー１８によって形成された空間に油圧で駆動されるベーンが内蔵されている。タイミングスプロケット１５とリアカバー１８は相互に固定されており、またベーンは排気カム軸１０に固定されている。
【００２４】
したがって、油圧によってベーンの回転位置を調整することによって、排気カム軸１０がこれに対応して排気バルブの開閉位相を調整するようになっている。尚、ハウジング１６内の油圧は排気電磁切換弁２９によって制御され、排気電磁切換弁２９はコントローラ５２によって駆動されている。
【００２５】
同様に、吸気カム軸２０には気筒あたり２個の吸気カム２１が設けられている。この吸気カム２１は、吸気バルブ４を開閉するものである。また、吸気カム軸２０の一端には、スプロケット機構２３と、これに固定された吸気側ＶＴＣ機構１Ａが取り付けられており、吸気カム軸２０をスプロケット機構２３に対して相対回転（位相変換）させて吸気カム２１の相対回転位置を制御している。
【００２６】
スプロケット機構２３は、タイミングスプロケット２５を備えており、図示しないタイミングベルトによってクランク軸によって回転されている。また、吸気側ＶＴＣ機構１Ａは、ハウジング２６と、このハウジング２６の両端に固定されたフロントカバー２７とリアカバー２８によって形成された空間に油圧で駆動されるベーンが内蔵されている。タイミングスプロケット２５とリアカバー２８は相互に固定されており、またベーンは吸気カム軸２０に固定されている。
【００２７】
したがって、油圧によってベーンの回転位置を調整することによって、吸気カム軸２０がこれに対応して吸気バルブの開閉位相を調整するようになっている。尚、ハウジング２６内の油圧は吸気電磁切換弁３０によって制御され、吸気電磁切換弁３０はコントローラ５２によって駆動されている。
【００２８】
ここで、本実施形態の吸気側ＶＴＣ機構１Ａにおいては、油圧ポンプからの油圧供給が有る場合、及び制御信号が遮断されて油圧供給が無い場合の両方において、デフォルト位置である「最遅角位置」付近に制御される構成となっている。ここでデフォルト位置とは、機械的に安定する位置(機械的安定位置)のことである。位相制御用油圧アクチュエータ２Ａにおいては、ベーンを最遅角側に付勢するバイアススプリングが用いられており、ベーンに作動油圧が作用しなかった場合には、この「最遅角位置」付近に安定するようになっている。そして、この位相角の状態で回転数が低下すると、油圧が低下していき、「最遅角位置」付近の位相でピンロックするように構成されている。
【００２９】
そして、この「最遅角位置」が、後述する「第１負荷領域」である「低負荷領域」で設定される吸気バルブ４の開時期(以下、吸気開時期(ＩＶＯ)と表記する)である第１吸気開時期(ＩＶＯ１)となる。これについては、図３に第１負荷領域のバルブタイミングとして示している。
【００３０】
また、排気側ＶＴＣ機構１Ｂにおいては、油圧ポンプからの油圧供給が有る場合、及び制御信号が遮断されて油圧供給が無い場合の両方において、デフォルト位置(機械的安定位置)である「最進角位置」付近に制御される構成となっている。位相制御用油圧アクチュエータ２Ｂにおいては、ベーンを進角側に付勢するバイアススプリングが用いられており、ベーンに作動油圧が作用しなかった場合には、この「最進角位置」付近に安定するようになっている。そして、この位相の状態で回転数が低下すると、油圧が低下していき、「最進角位置」付近の位相でピンロックするように構成されている。
【００３１】
そして、この「最進角位置」が、後述する「第１負荷領域」である「低負荷領域」で設定される排気バルブ５の閉時期(以下、排気閉時期(ＥＶＣ)と表記する)となる第１排気閉時期(ＥＶＣｌ)となる。これについても、図３に第１負荷領域のバルブタイミングとして示している。
【００３２】
図１に戻って、コントローラ(＝制御手段)５２は、現在の内燃機関の回転数Ｎｅ(ｒｐｍ)をクランク角から検出するクランク角センサからの出力信号、エアーフローメータからの吸入空気量(負荷)の出力信号、その他、アクセル開度センサ、車速センサ、ギア位置センサ、機関本体の温度を検出する機関冷却水温センサ３１、更には大気湿度センサからの出力信号などの各種情報信号から現在の機関状態を検出している。
【００３３】
そして、コントローラ５２は、少なくとも吸気側ＶＴＣ機構１Ａに対して吸気ＶＴＣ制御信号を出力し、排気側ＶＴＣ機構１Ｂに対して排気ＶＴＣ制御信号を出力し、更に外部ＥＧＲ弁５６に対して外部ＥＧＲガス制御信号を出力するものである。尚、本実施形態では、吸気側ＶＴＣ機構１Ａ、排気側ＶＴＣ機構１Ｂは油圧式のものを使用しているが、電動式のものを使用することもでき、更には電動式と油圧式を併用して使用することもできる。
【００３４】
ところで、上述したように、中負荷領域で正バルブオーバーラップ区間(ＰＶＯ)を設定すると、ポンプ損失の低減などの理由により燃費を向上することができる。しかしながら、この正バルブオーバーラップ区間(ＰＶＯ)を低負荷領域で設定すると、排気ガスの一部が吸気系に戻されて、そこで冷やされて、筒内に再吸入されるので、再吸入時の該排気ガスの温度はその分低下してしまい、燃焼素質の良くない低負荷においては、混合ガスの燃焼が悪化するという現象を生じ、結果的に燃費の改善が期待できないという課題が新たに発生する。
【００３５】
本実施形態では、このような課題に対して、中負荷で運転されている場合は吸気側ＶＴＣ機構１Ａと排気側ＶＴＣ機構１Ｂによって正バルブオーバーラップ区間(ＰＶＯ)を形成する内燃機関を基礎として、内燃機関が低負荷領域においては、排気側ＶＴＣ機構１Ｂによって、排気バルブ５の排気閉時期(ＥＶＣ)を排気上死点(ＴＤＣ)の前の所定角度位置(ＥＶＣ１)に設定し、且つ吸気側ＶＴＣ機構１Ａによって、吸気バルブ４の吸気開時期(ＩＶＯ)を排気上死点(ＴＤＣ)の後の所定角度位置(ＩＶＯ１)まで遅角して負バルブオーバーラップ区間を形成する構成とした。これによれば、燃焼ガスの燃焼室内への閉じ込めによる内部ＥＧＲを実行することによって燃焼室を高温化して、混合気の燃焼を安定させることができるようになる。
【００３６】
次に本実施形態の具体的な構成を図３〜図６を用いて説明する。図３は、負荷領域に対応した可変動弁機構による吸気バルブ４と排気バルブ５のバルブタイミングと外部ＥＧＲ弁の動作状態を示し、図４は、負荷領域の変化に対応した可変動弁機構による吸気バルブ４と排気バルブ５のバルブタイミングと、そのバルブオーバーラップの変化状態を示し、図５は、負荷領域の変化に対応した可変動弁機構による吸気バルブ４と排気バルブ５のバルブオーバーラップと、燃焼室内のＥＧＲ率と燃焼室内のガス温度の変化状態を示している。
【００３７】
≪第１負荷領域(アイドルを含む低負荷領域)≫
図３において、アイドル状態を含む所定の第１負荷領域においては、図３の最下段に示すように、排気側ＶＴＣ機構１Ｂによって排気バルブ５の排気閉時期(ＥＶＣ)は、排気上死点(ＴＤＣ)を起点として所定角度(ＥＤ１)だけ進角側、ここでは最進角位置まで進角されており、排気バルブ５の排気開時期(ＥＶＯ)は、第１排気開時期(ＥＶＯ１)に設定されると共に、排気バルブ５の排気閉時期(ＥＶＣ)は、排気上死点(ＴＤＣ)より前の第１排気閉時期(ＥＶＣ１)に設定される。
【００３８】
同様に、吸気側ＶＴＣ機構１Ａによって吸気バルブ４の吸気開時期(ＩＶＯ)は、排気上死点(ＴＤＣ)を起点として所定角度(ＩＤ１)だけ遅角側、ここでは最遅角位置まで遅角されており、吸気バルブ５の吸気開時期(ＩＶＯ)は、排気上死点(ＴＤＣ)より後の第１吸気開時期(ＩＶＯ１) に設定されると共に、吸気バルブ５の吸気閉時期(ＩＶＣ)は第１吸気閉時期(ＩＶＣ１)に設定される。尚、排気上死点(ＴＤＣ)は、次行程の吸入上死点(ＴＤＣ)と同義である。
【００３９】
そして、排気バルブ５の第１排気閉時期(ＥＶＣ１)は、排気上死点(ＴＤＣ)より前で所定角度(ＥＤ１)だけ進角側に設定され、吸気バルブ４の第１吸気開時期(ＩＶＯ１)は、排気上死点(ＴＤＣ)より後で所定角度(ＩＤ１)だけ遅角側に設定され、排気バルブ５の作動角と吸気バルブ４の作動角が重なり合わない、負バルブオーバーラップ区間(ＮＶＯ１)が形成される構成となっている。尚、負バルブオーバーラップ区間(ＮＶＯ１)の角度は、ＮＶＯ１＝ＥＤ１＋ＩＤ１で表され、また、本実施形態ではＥＤ１≒ＩＤ１に設定されている。
【００４０】
ここで、所定角度(ＩＤ１)と所定角度(ＥＤ１)は略同じ角度に設定されているが、略同じ角度とは、排気側ＶＴＣ機構１Ｂ、及び吸気側ＶＴＣ機構１Ａの組立後の機構的な誤差や設計上の公差等を含む概念であり、必ずしも同じ角度を意味するものではない。
【００４１】
このように、アイドル状態を含む所定の第１負荷領域においては、図４に示すように、機関停止からクランキング、アイドルを含む第１負荷領域においては、吸気バルブ４の第１吸気開時期(ＩＶＯ１)は、排気上死点(ＴＤＣ)を起点として所定角度(ＩＤ１)だけ遅角され、また、排気バルブ５の第１排気閉時期(ＥＶＣ１)は、排気上死点(ＴＤＣ)を起点として所定角度(ＥＤ１)だけ進角され、吸気バルブ４と排気バルブ５の間には、負バルブオーバーラップ区間(ＮＶＯ１)が形成される。
【００４２】
この負オーバーラップ区間(ＮＶＯ１)では、ピストン０１が排気上死点(ＴＤＣ)に至る前の進角側の所定角度(ＥＤ１)で排気バルブ５を閉じ、且つ排気上死点(ＴＤＣ)に至った後の遅角側の所定角度(ＩＤ１)で吸気バルブ５を開くので、高温の燃焼ガスが冷やされることなく、燃焼室内に高温の内部ＥＧＲガスとして封じ込められる。加えて、高温内部ＥＧＲガスは、排気上死点(ＴＤＣ)に至るまでピストン０１によって圧縮されるので、更に内部ＥＧＲガスは高圧・高温となって燃焼室も高い温度に維持される。
【００４３】
このように、第１負荷領域である低負荷領域において、負オーバーラップ区間(ＮＶＯ１)を形成することで排気行程の末期から吸気行程の初期にかけて、高温の燃焼ガス(内部ＥＧＲガス)を燃焼室内に封じ込め、しかもピストンで加圧することによる「封じ込め内部ＥＧＲガス」により、排気上死点(ＴＤＣ)付近で残留している燃焼室内の内部ＥＧＲガスの温度を更に上昇させることができる。これによって、燃焼室内に残留している内部ＥＧＲガスが充分に加熱され、不安定な燃焼が生じやすい低負荷域での燃焼を改善でき、燃費性能を向上することができる。
【００４４】
次に、排気上死点(ＴＤＣ)を過ぎると、燃焼室内の高圧の内部ＥＧＲガスによってピストン０１が押し下げられるので、排気上死点(ＴＤＣ)に至る前にピストン０１に作用した高圧の内部ＥＧＲガスによる制動エネルギは、ピストン０１の下降時に回収されてトータルでは実質的には殆ど損失にならない。
【００４５】
特に、排気バルブ５の進角側の所定角度(ＥＤ１)と吸気バルブ４の遅角側の所定角度(ＩＤ１)の関係は、ＩＤ１≒ＥＤ１となっているので、排気バルブ５が閉じる第１排気閉時期(ＥＶＣ１)での燃焼室内の圧力と、吸気バルブ４が開く第１吸気開時期(ＩＶＯ１)での燃焼室内の圧力がほぼ一致しており、負バルブオーバーラップ区間(ＮＶＯ)におけるポンプ損失の発生はできる限り抑制される。
【００４６】
そして、更にピストン０１が下がっていくと、吸気バルブ４を介して新気ガスが導入される。この新気ガスは、元々は大気からエアクリーナや吸気通路を介して導入するもので、温度は内部ＥＧＲと比較してかなり低いものである。この低温の新気ガスは、上述の燃焼室内に封じ込まれた高温の内部ＥＧＲガスと混じりあって暖められることになる。
【００４７】
この封じ込められた内部ＥＧＲガスは通常の正バルブオーバーラップ区間(ＰＶＯ)での内部ＥＧＲガスより充分に高温であり、結果として吸気下死点(ＢＤＣ)での燃焼室内のガス温度は、図５のガス温度(Ｔ１)に示すように高温となるので、低負荷であっても燃焼が安定して燃費を向上することができる。
【００４８】
図５には、負荷状態の変化に対する燃焼室内のＥＧＲ率と、燃焼室内のガス温度(例えば吸気下死点(ＢＤＣ)での温度)を示している。上述の説明にある通り、第１負荷領域(アイドルを含む低負荷領域)においては、負バルブオーバーラップ区間(ＮＶＯ１)の形成によって「封じ込め内部ＥＧＲ」が可能となり、高温の燃焼ガス（内部ＥＧＲガス）を燃焼室内に封じ込め、しかもピストン０１で加圧することで、燃焼室内のＥＧＲ率(Ｒ１)が、例えば、内部ＥＧＲガスだけで２０％程度に維持でき、しかもガス温度を高く維持できることが理解される。
【００４９】
ここで、吸気バルブ４と排気バルブ５の作動角が重なりあうように同時に開く、正バルブオーバーラップ区間(ＰＶＯ)による内部ＥＧＲを考えてみると、吸気系に一度掃き出した内部ＥＧＲガス(既燃排気ガス）を再吸入するので、その過程で温度の低い吸気系により内部ＥＧＲガス温度が下がってしまうことに加え、吸気系のボリューム内での内部ＥＧＲガスの混合が不均一になりやすい。このため、各気筒に吸気バルブ４を介して再導入される内部ＥＧＲガスの流量に気筒間ばらつきが発生して、全体としてみると混合気の燃焼がさらに不安定となる。
【００５０】
これに対して、本実施形態では負バルブオーバーラップ区間(ＮＶＯ１)を形成して「封じ込め内部ＥＧＲ」を実行するので、前述のＰＶＯによる「再吸入内部ＥＧＲと比較して、燃焼室内の混合ガスは高温に維持される。
【００５１】
更に、封じ込められた内部ＥＧＲガスのＥＧＲ率は、吸気バルブ４と排気バルブ５のバルブタイミング(ＥＶＣｌ、ＩＶＯｌ)で決まり、吸気系に起因する内部ＥＧＲガス量の気筒間ばらつきは原理的に発生しない。すなわち、正バルブオーバーラップ区間(ＰＶＯ)による内部ＥＧＲで生じていたＥＧＲガス量の気筒間ばらつきを原理的に回避することができ、それによりさらに燃焼の安定化や機関回転の安定化を実現でき、燃費性能を向上することができる。
【００５２】
ここで、図３に示す通り、外部ＥＧＲ弁５６はほぼ全閉の状態に制御されているので、外部ＥＧＲシステムによる低い温度の外部ＥＧＲガスは、例えば所定の少量の流量以下しか再導入されないか、或いは望ましくは再導入されないので、上述した「封じ込め内部ＥＧＲ」の効果を充分に得ることができる。
【００５３】
ここで、ＥＧＲガスは不活性ガスであり、内部ＥＧＲ、外部ＥＧＲに拘らず、ＥＧＲ率が高いと機関トルクが下がり、その分同じ機関トルクを得るためにスロットル開度を拡大することができ、吸気行程でのポンプ損失を低減できるので燃費を向上することができる。
【００５４】
また、燃焼ピーク温度が低いので冷却損失が小さく、また燃焼ガスの比熱比も向上できることから、ＥＧＲ率を高めることで、燃費を向上できる余地(ポテンシャル)を有する。
【００５５】
周知のように、ＥＧＲガスは酸素を殆ど含まない不活性ガスであって、ＥＧＲ率を高めると、燃焼が悪化してしまうという欠点を併せ有している。そのために、特に燃焼が安定しない低負荷領域においては、ＥＧＲ率を高めにくい。一方、本実施形態では、負バルブオーバーラップ区間(ＮＶＯ１)の形成によって、高温の内部ＥＧＲガスとして燃焼室内のガス温度を高めて燃焼安定性を向上できるので、低負荷領域においても、例えば２０％といった高いＥＧＲ率を達成でき、その面からも燃費を向上できる。
【００５６】
次に、バルブオーバーラップの観点とは別のバルブタイミングについて考察する。図３の第１負荷領域においては、吸気バルブ４の第1吸気閉時期(ＩＶＣ１)は吸気下死点(ＢＤＣ)より遅角しているため、いわゆる遅閉じミラーサイクル(アトキンソンサイクル)の効果で燃費を向上することができる。
【００５７】
また、排気バルブ５の排気開時期(ＥＶＯ１)は膨張下死点(ＢＤＣ)より進角しているため、いわゆる膨張行程の末期のポンプ損失を低減することができる。低負荷領域においては、燃焼ピーク圧が低いので、膨張行程でピストン０１が膨張下死点(ＢＤＣ)に至る前に燃焼室内の圧力が負圧になり、その負圧によりピストン０１の下降動作を抑止しようとする損失（膨張行程末期のポンプ損失）が発生しやすい。そこで、燃焼室内に負圧が発生する前に、排気バルブ５を早めに開くので、このような膨張行程末期のポンプ損失を低減して燃費を向上することができる。
【００５８】
再び図４に戻って、内燃機関の停止状態から、クランキング、アイドルを含む低負荷領域では、吸気バルブ４と排気バルブ５のバルブタイミング特性は同一の特性とされている。したがって、内燃機関の停止状態から第２負荷領域に至る前までは、停止状態での負バルブオーバーラップ区間、クランキング状態での負バルブオーバーラップ区間、アイドル状態での負バルブオーバーラップ区間、及び第２負荷領域に至る前までの負バルブオーバーラップ区間と、同一の負バルブオーバーラップ区間(ＮＶＯ１)が形成されている。
【００５９】
またこれに併せて、内燃機関の停止状態から第２負荷領域に至る前までは、停止状態、クランキング状態、アイドル状態、及び第２負荷領域に至る前までの排気バルブ５の開閉時期(ＥＶＯ、ＥＶＣ)と、吸気バルブ４の開閉時期(ＩＶＯ、ＩＶＣ)も同一に設定されている。
【００６０】
同様に、外部ＥＧＲ弁５６の開度は、停止状態、クランキング状態、アイドル状態、及び第２負荷領域に至る前まで同一の最小開度とされ、外部ＥＧＲシステムによる低い温度の外部ＥＧＲガスは再導入されない構成になっている。
【００６１】
このように、吸気バルブ４と排気バルブ５のバルブタイミング特性、及び外部ＥＧＲ弁５６の開度特性を、内燃機関の停止状態から第２負荷領域に至る前まで同一とすることで、吸気側ＶＴＣ機構１Ａ、排気側ＶＴＣ機構１Ｂ、及び外部ＥＧＲ弁５６の制御を簡素化することができる。更に、本実施例では、吸気側ＶＴＣ機構１Ａ、排気側ＶＴＣ機構１Ｂ、外部ＥＧＲ弁５６の電気制御系が故障した際には、夫々のデフォルト位置で安定化することになり、フェールセーフ制御も簡素化される。
【００６２】
≪第２負荷領域(中負荷領域)≫
アイドルを含む第１負荷領域では、吸気バルブ４が排気上死点(ＴＤＣ)を起点として遅角側に設定され、排気バルブ５が排気上死点(ＴＤＣ)を起点として進角側に設定されることによって、負バルブオーバーラップ区間(ＮＶＯ１)が形成されるので、上述したように燃費性能を向上する効果が高いが、第１負荷領域を超えて更に負荷が大きくなる中負荷領域で新たな別の課題を生じる。
【００６３】
すなわち、第１負荷領域を超える第２負荷領域においても、負バルブオーバーラップ区間(ＮＶＯ１)を形成すると、高温の内部ＥＧＲガスによって逆にノッキングが生じやすくなる環境に遷移する。このため、ノッキングが生じると点火時期を遅角してノッキングを避ける制御を行うが、点火時期を遅角すると燃焼効率が低下するので、これを補償するためには燃料が多く必要とされ結果的に燃費の悪化を生じる。
【００６４】
また、中負荷領域では、機関トルクが必要であるが、負バルブオーバーラップ区間(ＮＶＯ１)を形成すると、ピストン０１が下降動作を行う時に、吸気バルブ４と排気バルブ５とが共に閉じられているので、筒内への新気充填効率を高めにくく機関トルクを高めにくかったり、あるいは吸気行程でのポンプ損失が大きくなり、燃費の悪化を招くことになる。
【００６５】
これに対して、本実施形態では第１負荷領域よりも負荷が大きい中負荷領域である第２負荷領域においては、図３の第２負荷領域に示すように、排気側ＶＴＣ機構１Ｂによって排気バルブ５の閉時期(ＥＶＣ)は、排気上死点(ＴＤＣ)を起点として所定角度(ＥＤ２)だけ遅角側、ここでは最遅角位置まで遅角されており、排気バルブ５の排気開時期(ＥＶＯ)は第２排気開時期(ＥＶＯ２)に設定されると共に、排気バルブ５の排気閉時期(ＥＶＣ)は第２排気閉時期(ＥＶＣ２)に設定される。
【００６６】
同様に、吸気側ＶＴＣ機構１Ａによって吸気バルブ４の開時期(ＩＶＯ)は、排気上死点(ＴＤＣ)を起点として所定角度(ＩＤ２)だけ進角側、ここでは最進角位置まで進角されており、吸気バルブ５の吸気開時期(ＩＶＯ)は第２吸気開時期(ＩＶＯ２) に設定されると共に、吸気バルブ５の吸気閉時期(ＩＶＣ)は第２吸気閉時期(ＩＶＣ２)に設定される。
【００６７】
そして、排気バルブ５の第２排気閉時期(ＥＶＣ２)は、排気上死点(ＴＤＣ)より後で所定角度(ＥＤ２)だけ遅角側に設定され、吸気バルブ４の第２吸気開時期(ＩＶＯ２)は、排気上死点(ＴＤＣ)より前で所定角度(ＩＤ２)だけ進角側に設定され、排気バルブ５の作動角と吸気バルブ４の作動角が重なり合う、正バルブオーバーラップ区間(ＰＶＯ２)が形成される構成となっている。ここで、正バルブオーバーラップ区間(ＰＶＯ２)の角度は、ＰＶＯ１＝ＥＤ２＋ＩＤ２で表され、また、本実施形態ではＥＤ２≒ＩＤ２に設定されている。
【００６８】
尚、本実施形態では第１負荷領域では吸気バルブ４が最遅角位置に設定され、排気バルブ５が最進角位置に設定されると共に、第２負荷領域では吸気バルブ４が最進角位置に設定され、排気バルブ５が最遅角位置に設定されるので、ＥＤ１≒ＩＤ１≒ＥＤ２≒ＩＤ２の関係となっている。
【００６９】
この第２負荷領域においては、図４に示すように、第１負荷領域から第２負荷領域に移行する過程においては、吸気バルブ４の第２吸気開時期(ＩＶＯ２)は、排気上死点(ＴＤＣ)を起点として、所定角度(ＩＤ２)だけスイッチ的に切り換えられて進角され、また、排気バルブ５の第２排気閉時期(ＥＶＣ２)は、排気上死点(ＴＤＣ)を起点として、所定角度(ＥＤ２)だけスイッチ的に切り換えられて遅角され、吸気バルブ４と排気バルブ５の間には、正バルブオーバーラップ区間(ＰＶＯ２)が形成される。
【００７０】
このように、負バルブオーバーラップ区間(ＮＶＯ１)から正バルブオーバーラップ区間(ＰＶＯ２)にスイッチ的に切り換えられるので、切り換え途中でのポンプ損失や燃焼悪化の影響を可及的に少なくすることができる。
【００７１】
そして、この正オーバーラップ区間(ＰＶＯ２)では、ピストン０１が排気上死点(ＴＤＣ)に至る前の進角側の所定角度(ＩＤ２)で吸気バルブ４を開き、且つ排気上死点(ＴＤＣ)に至った後の遅角側の所定角度(ＥＤ２)で排気バルブ５を閉じる。このように、正オーバーラップ区間(ＰＶＯ２)においては、燃焼ガスが吸気系に戻されて冷やされ、その後で再び燃焼室内に導入される。
【００７２】
図５のＥＧＲ率に示してある通り、この正オーバーラップ区間(ＰＶＯ２)において、燃焼ガス(内部ＥＧＲガス)は吸気系に一度戻され、その後に再び燃焼室内に吸入されて「再吸入内部ＥＧＲガス」となる。その過程で、吸気系に戻された内部ＥＧＲガスは、吸気系で冷やされて、次に燃焼室内に導入されることになるので、吸気下死点(ＢＤＣ)における燃焼室内のガス温度は温度(Ｔ１)から温度(Ｔ２)まで低下する。
【００７３】
その結果、燃焼室内の混合ガスの温度が低くなるのでノッキングが抑制され、点火時期の遅角制御の頻度や遅角量を抑制できて燃費を改善、向上することができる。一方、正オーバーラップ区間(ＰＶＯ２)では、内部ＥＧＲガスの温度は、外部ＥＧＲガスの温度よりは高いので、燃焼室内のガス温度を燃焼に必要とする充分な程度の温度(Ｔ２)に維持できるので、ノッキングを抑制しつつ燃焼の悪化も抑制できるので、良好な燃費性能を得ることができる。
【００７４】
ここで、図３に示す通り第２負荷領域でも、外部ＥＧＲ弁５６はほぼ全閉の状態に制御されているので、外部ＥＧＲシステムによる低い温度の外部ＥＧＲガスは、例えば所定の少量の流量以下しか再導入されないか、或いは望ましくは再導入されないので、上述した「再吸入内部ＥＧＲ」の効果を充分に得ることができる。
【００７５】
外部ＥＧＲ弁５６の開度は、第２負荷領域のほぼ全域で同一の最小開度とされ、外部ＥＧＲシステムによる低い温度の外部ＥＧＲガスは再導入されないようになっている。図５にある通り、第２負荷領域においては、正バルブオーバーラップ区間(ＰＶＯ２)の形成によって「再吸入内部ＥＧＲガス」によって、負バルブオーバーラップ区間(ＮＶＯ１)での内部ＥＧＲガスに比べて、低い温度の内部ＥＧＲガスを燃焼室内に導入するので、燃焼室内のＥＧＲ率(Ｒ２)が、例えば、大部分は再吸入内部ＥＧＲガスだけで２０％程度に維持でき、しかもガス温度を必要とする充分な程度の温度(Ｔ２)に維持できる。ここで、ＥＧＲ率は、燃焼室分の内部ＥＧＲガスと再吸入される内部ＥＧＲガスとの合計値で決められる。
【００７６】
ここで、正バルブオーバーラップ区間(ＰＶＯ２)の絶対位相角度を、負バルブオーバーラップ区間(ＮＶＯ１)の絶対位相角度と同等(ＰＶＯ２＝ＮＶＯ１)とすれば、負バルブオーバーラップ区間(ＮＶＯ１)での「封じ込め内部ＥＧＲガス」によるＥＧＲ率(Ｒ１)と、正バルブオーバーラップ区間(ＰＶＯ２)での「再吸入内部ＥＧＲガス」によるＥＧＲ率を略同程度にできる。
【００７７】
つまり、バルブオーバーラップ区間の前後のピストン０１のリフト高さは両者で同等になるので、負バルブオーバーラップ区間(ＮＶＯ１)の「封じ込め内部ＥＧＲガス」、及び正バルブオーバーラップ区間(ＰＶＯ２)の「再吸入内部ＥＧＲガス」の違いはあるにせよ、ＥＧＲガス量(ピストンより上側の燃焼室容積)は同等になると考えられるからである。これによって、負バルブオーバーラップ期間(ＮＶＯ１)から正バルブオーバーラップ期間(ＰＶＯ２)に切り換える前後で、燃焼室内のＥＧＲ率が低下するのを抑制できる。
【００７８】
尚、正バルブオーバーラップ区間(ＰＶＯ２)では、「再吸入内部ＥＧＲガス」を吸入する際は新気ガスも一緒に吸い込むので、多気筒一体型吸気系の場合には、オーバーラップ区間を(ＰＶＯ２)＞(ＮＶＯ１)とすれば、両者のＥＧＲ率を一層近づけることができる。本実施形態では、各気筒の吸気ポートが正確に分離形成されている場合を想定して、オーバーラップ区間を(ＰＶＯ２)≒(ＮＶＯ１)としている。その結果、図５の第２負荷領域に示すように、例えば、約２０％のＥＧＲ率が、負バルブオーバーラップ区間(ＮＶＯ１)から正バルブオーバーラップ区間(ＰＶＯ２)に移行した場合においても維持される。
【００７９】
尚、ここで、第１負荷領域と第２負荷領域の間には、厳密には正バルブオーバーラップ(ＰＶＯ)と負バルブオーバーラップ(ＮＶＯ)が形成されないゼロバルブオーバーラップ(「０」ＶＯ)となる領域(低ＥＧＲ領域）が存在することになるが、第１負荷領域と第２負荷領域を切り分ける負荷判定閾値はほぼ一致しているので、定常負荷条件で図５を見た場合、この低ＥＧＲ領域は無視して、約２０％のＥＧＲ率が継続するようにグラフを描いている。但し、第１負荷領域から第２負荷領域への過渡時には、この低ＥＧＲ領域が顕在化する場合があり、これについては図７の制御フローチャートに関連して説明する。
【００８０】
また、図５に示す第２負荷領域の「封じ込め内部ＥＧＲガス」は、排気上死点(ＴＤＣ)に達した時のピストン０１のリフト位置での燃焼室容積に対応するガス量である。このガス量は、「再吸入内部ＥＧＲ」の場合や、後述する「外部ＥＧＲ」の場合であっても存在する。この燃焼室容積の「封じ込め内部ＥＧＲガス」と「再吸入内部ＥＧＲガス」を加算した総和ガス量が、図５の第２負荷領域のＥＧＲガス量と対応する。
【００８１】
次に、バルブオーバーラップの観点とは別のバルブタイミングについて考察する。本実施形態では、図４にある通り、排気バルブ５の第２排気開時期(ＥＶＯ２)を膨張下死点(ＢＤＣ)付近に近づける、ここでは膨張下死点(ＢＤＣ)に設定することで、膨張仕事を増加させることができ、結果的に燃費を向上することができる。
【００８２】
これは、負荷の増加と共にピーク燃焼圧が増加するので、膨張行程において燃焼室内の圧力が大気圧以下(負圧)にはなり難くなるので、膨張行程末期のポンプ損失は発生し難くなり、排気バルブ５の第２排気開時期(ＥＶＯ２)を膨張下死点(ＢＤＣ)付近まで遅らせることで、ピストン０１に充分な膨張仕事を与えることができ、結果として膨張変換効率を高めて燃費を向上することができる。
【００８３】
一方、吸気バルブ４の第２吸気閉時期(ＩＶＣ２)は、逆に吸気下死点(ＢＤＣ)付近に近づける、ここでは吸気下死点(ＢＤＣ)の前まで進角させ、いわゆる早閉じミラーサイクル効果により、更にポンプ損失を低減して燃費向上を図ることができる。
【００８４】
≪遷移負荷領域Ｐ〜第３負荷領域(高負荷領域)≫
第２負荷領域では、吸気バルブ４が排気上死点(ＴＤＣ)を起点として進角側に設定され、排気バルブ５が排気上死点(ＴＤＣ)を起点として遅角側に設定されることによって、正バルブオーバーラップ区間(ＰＶＯ２)が形成されて、上述したようにポンプ損失の低減や内部ＥＧＲガスの温度の低下によるノッキングを抑制して燃費性能を向上する効果が高いが、第２負荷領域を超えて更に負荷が大きくなる高負荷領域で新たな別の課題を生じる。
【００８５】
すなわち、第２負荷領域を超える第３負荷領域においては、正バルブオーバーラップ区間(ＰＶＯ２)による「再吸入内部ＥＧＲ」を実行しても燃焼室内の混合ガスの温度が高くなり、ノッキングが発生し易くなる。このため、混合気濃度を高めたり、或いは点火時期を遅らせたりする制御を実行するので、燃費の悪化を招くことになる。
【００８６】
これに対して、本実施形態では第２負荷領域よりも負荷が大きい高負荷である第３負荷領域においては、図３の第３負荷領域に示すように、排気側ＶＴＣ機構１Ｂによって排気バルブ５の閉時期(ＥＶＣ)は、第２負荷領域に比べて、排気上死点(ＴＤＣ)側に進角されており、排気バルブ５の排気開時期(ＥＶＯ)は第３排気開時期(ＥＶＯ３)に設定されると共に、排気バルブ５の排気閉時期(ＥＶＣ)は第３排気閉時期(ＥＶＣ３)に設定される。
【００８７】
同様に、吸気側ＶＴＣ機構１Ａによって吸気バルブ４は、第２負荷領域に比べて、排気上死点(ＴＤＣ)側から遅角されており、吸気バルブ５の吸気開時期(ＩＶＯ)は第３吸気開時期(ＩＶＯ３) に設定されると共に、吸気バルブ５の吸気閉時期(ＩＶＣ)は第３吸気閉時期(ＩＶＣ３)に設定される。
【００８８】
そして、排気バルブ５の第３排気閉時期(ＥＶＣ３)は、排気上死点(ＴＤＣ)に設定され、吸気バルブ４の第３吸気開時期(ＩＶＯ３)も、排気上死点(ＴＤＣ)に設定され、排気バルブ５の作動角と吸気バルブ４の作動角が重なり合わず、しかも負バルブオーバーラップ区間(ＮＶＯ)が形成されないゼロバルブオーバーラップ(「０」ＶＯ)となっている。これによって、「再吸入内部ＥＧＲ」の作動が停止されるが、これに代えて、図３の第３負荷領域に示すように、「外部ＥＧＲ」の作動が実行される。
【００８９】
したがって、図４に示すように遷移領域Ｐでは、排気バルブ５の排気閉時期（ＥＶＣ）は、第２排気閉時期(ＥＶＣ２)から第３排気閉時期(ＥＶＣ３)へ向けて進角され、吸気バルブ４の吸気開時期(ＩＶＯ)は、第２吸気開時期(ＩＶＯ２)から第３吸気開時期(ＩＶＯ３)へ向けて遅角されて行く動作を実行する。
【００９０】
同時に外部ＥＧＲ弁５６の動作によって、図５に示すように「外部ＥＧＲ」による外部ＥＧＲガス量が増やされていく。この外部ＥＧＲガスは上述したように、ＥＧＲクーラー５５等によって冷却されているので、第２負荷領域の再吸入内部ＥＧＲガスより温度が低くなっている。
【００９１】
そして、遷移負荷領域Ｐにおいては、第２負荷領域から第３負荷領域に向かって負荷が増大していく際に、外部ＥＧＲガスを漸増していくので燃焼室内のガス温度が外部ＥＧＲガスにより急激に低下するのを抑えて、燃焼室内のガス温度を緩やかに低下させていくので、過渡性能を含めて燃焼状態を安定化することができる。
【００９２】
このように、遷移負荷領域Ｐにおいては、第２負荷領域での「再吸入内部ＥＧＲ」の状態から「外部ＥＧＲ」の状態に緩やかに遷移できるので、気筒内のガス温度が緩やかに低下し、且つ過渡的な気筒間のＥＧＲガス流量のばらつきを抑制できるので、中負荷領域から高負荷領域に至る過程で生じやすい、過渡性能の不安定化を抑制できるようになる。また、図５の燃焼室内ＥＧＲ率(Ｒ３)は、「封じ込め内部ＥＧＲ」でのガス量と「外部ＥＧＲ」でのガス量の総和を示すが、この値は２０％程度に維持されており、その面から高負荷領域に向けて負荷が増加する方に移行する際の過渡性能を安定化できる。
【００９３】
図４に示す通り、第２負荷領域と比較して、第３負荷領域では、吸気バルブ４の吸気開時期(ＩＶＯ)を排気上死点(ＴＤＣ)まで遅角側に移行させて第３吸気開時期(ＩＶＯ３)とし、排気バルブ５の排気閉時期(ＥＶＣ)を排気上死点(ＴＤＣ)まで進角して、第３排気閉時期(ＥＶＣ３)としている。また、吸気バルブ４の吸気開時期(ＩＶＯ)の遅角に伴い、吸気バルブ４の吸気閉時期(ＩＶＣ)も、吸気下死点(ＢＤＣ)と圧縮上死点(ＴＤＣ)の中間位置付近から吸気下死点(ＢＤＣ)に向けて第３吸気閉時期(ＩＶＣ３)まで遅角側に移行されている。更に、排気バルブ５の排気閉時期(ＥＶＣ)の進角に伴い、排気バルブ５の排気開時期(ＥＶＯ)も、吸気下死点(ＢＤＣ)側に向けて第３排気開時期(ＥＶＯ３)まで進角側に移行されている。
【００９４】
この結果、第３負荷領域においては、排気バルブの第３排気閉時期(ＥＶＣ３)と吸気バルブの第３吸気開時期(ＩＶＯ３)は、排気上死点(ＴＤＣ)付近に互いに近接して設定されることで、負バルブオーバーラップ区間(ＮＶＯ)、及び正バルブオーバーラップ区間(ＰＶＯ)が殆ど存在しない、ゼロバルブオーバーラップバルブ(「０」ＶＯ３)を形成する。
【００９５】
このように、第３負荷領域においてはゼロバルブオーバーラップバルブ(「０」ＶＯ３)が形成されるので、負バルブオーバーラップ区間(ＮＶＯ)に起因する高温の燃焼ガスによる「封じ込め内部ＥＧＲ」は殆ど機能しなくなる。また、正バルブオーバーラップ区間(ＰＶＯ)に起因する「再吸入内部ＥＧＲ」も殆ど機能しなくなる。
【００９６】
更に、図４にある通り、第３負荷領域では外部ＥＧＲ弁５６が最大開度に大きく開かれるので、所定の多量の外部ＥＧＲガスが燃焼室内に導入されるようになる。外部ＥＧＲガスは温度が低く、更にＥＧＲクーラー５５によって更に温度が低下されている。
【００９７】
このため、外部ＥＧＲガスが導入された気筒内のガス温度は低くなり、ＥＧＲガスに基づく低温燃焼効果と相俟ってノッキングのような異常燃焼が発生し難くなる。したがって、点火時期を進角させることができるので燃焼効率を高めることができ、第３負荷領域での燃費性能を向上することができる。
【００９８】
また、図５にある通り、第３負荷領域においては、ゼロバルブオーバーラップバルブ(「０」ＶＯ３)の形成によって、「封じ込め内部ＥＧＲ」や「再吸入内部ＥＧＲ」の両方が殆ど機能しなくなり、これに代えて低温の外部ＥＧＲガスを再導入しているので、図５に示すようにガス温度は、ガス温度(Ｔ２)からガス温度(Ｔ３)と低くできることが理解される。
【００９９】
このように、第３負荷領域では外部ＥＧＲガスによってガス温度を低く抑えることができるので、ノッキングのような異常燃焼を避けながら点火時期を進角することができる。これによって、燃焼効率を高めることができ、第３負荷領域での燃費性能を向上することができる。
【０１００】
尚、ここで、第３負荷領域では「封じ込め内部ＥＧＲ」は機能しなくなるものの、図５に示すように、「封じ込め内部ＥＧＲガス」が僅かであるが残っている。これは、排気上死点(ＴＤＣ)において、ピストン０１の冠面と燃焼室の上壁との間の容積分は燃焼ガスが残り、次の吸気行程において、それが「封じ込め内部ＥＧＲガス」として残るためである。
【０１０１】
また、吸気バルブ４と排気バルブ５のバルブタイミング特性、及び外部ＥＧＲ弁５６の開度特性を、第３負荷領域の全域でほぼ同一とすることで、吸気側ＶＴＣ機構１Ａ、排気側ＶＴＣ機構１Ｂ、及び外部ＥＧＲ弁５６の制御を簡素化することができるのに加え、燃焼室内のＥＧＲ率を同レベルに維持できているので、負荷が急変した場合であっても、過渡性能を安定化できる。
【０１０２】
≪遷移負荷領域Ｈ〜第４負荷領域(最大負荷領域)≫
第３負荷領域においては、ゼロバルブオーバーラップバルブ(「０」ＶＯ３)の形成によって、「封じ込め内部ＥＧＲ」や「再吸入内部ＥＧＲ」の両方が殆ど機能しなくなり、これに代えて低温の外部ＥＧＲガスを再導入しているので、図５に示すようにガス温度は、ガス温度(Ｔ２)からガス温度(Ｔ３)と低くでき、ノッキング等の異常燃焼を避けることができる。
【０１０３】
しかしながら、更に負荷が大きくなる最大負荷領域で新たな別の課題を生じる。すなわち、第３負荷領域では混合ガスの温度を低くしてノッキングを抑制しているが、この制御状態だと最大負荷領域で充分な機関トルクを得ることができない恐れがある。
【０１０４】
そこで、本実施形態では、外部ＥＧＲ弁５６を最小開度(全閉)として、外部ＥＧＲガスの導入を停止すると共に、更に吸気バルブ４の開閉時期を第３負荷領域の場合と同じに保った状態で、排気バルブ５の排気閉時期(ＥＶＣ)を遅角して第４排気閉時期(ＥＶＣ４)とし、同様に排気開時期(ＥＶＯ)を遅角して第４排気開時期（ＥＶＯ４）に示すように排気下死点(ＢＤＣ)まで遅角して正バルブオーバーラップ(ＰＶＯ４)を形成している。これによって、いわゆる掃気効果を効果的に得ることができる。
【０１０５】
図３、図４に示す通り、第３負荷領域と比較して負荷が更に大きい、最大負荷領域である第４負荷領域では、吸気バルブ４の第４吸気開時期(ＩＶＯ４)を排気上死点(ＴＤＣ)に設定し、排気バルブ５の排気閉時期(ＥＶＣ)を排気上死点(ＴＤＣ)より後の遅角側に移行されて第４排気閉時期(ＥＶＣ４)としている。
【０１０６】
また、吸気バルブ４の吸気閉時期(ＩＶＣ４)を、吸気下死点(ＢＤＣ)に設定し、排気バルブ５の第４排気開時期(ＥＶＯ４)を膨張下死点(ＢＤＣ)に設定している。
【０１０７】
この結果、第３負荷領域から最大負荷までの遷移負荷領域Ｈにおいては、排気バルブの第４排気閉時期(ＥＶＣ４)と吸気バルブの第４吸気開時期(ＩＶＯ４)によって、ゼロバルブオーバーラップ(「０」ＶＯ３)に対して、正バルブオーバーラップ区間(ＰＶＯ４)が形成されることになる。
【０１０８】
この場合、図４に示すように第３負荷領域から第４負荷領域までの遷移負荷領域Ｈにおいては、負荷の増加に対応して、正バルブオーバーラップ区間(ＰＶＯ)の位相角度がしだいに大きくなる方向に調整される。また、図５にある通り、外部ＥＧＲ弁５６の開度も、これに対応して開度が減少されて最小開度の範囲で制御され、第４負荷領域で外部ＥＧＲガス量はほぼ「０」となる。
【０１０９】
また、第３負荷領域から第４負荷領域に向けて次第に外部ＥＧＲ弁５６の開度を絞っていき、加えて正バルブオーバーラップ区間(ＰＶＯ)も、ゼロバルブオーバーラップ区間(「０」ＶＯ３)から正バルブオーバーラップ区間(ＰＶＯ４)まで次第に増加していくので、この領域での急加速の際にも唐突に最大トルクを発生することがなく、円滑な加速が可能となる。
【０１１０】
上述したようなバルブタイミング特性によれば、第４負荷領域において機関トルクを充分に高めることが可能となる。すなわち、図３、図４にあるように、排気バルブ５の排気閉時期(ＥＶＣ)が排気上死点(ＢＤＣ)より遅角されたので、排気脈動の負圧波が排気バルブ５に到来するタイミングが、正バルブオーバーラップ区間(ＰＶＯ４)の近くまで遅れるようになる。
【０１１１】
このため、負圧波によって開状態の排気バルブ５を介して燃焼室内の高温の燃焼ガスを吸い出し、そこに冷たい新気ガスが開状態の吸気バルブ４を介して燃焼室内に導入される、という掃気効果が得られる。これによって、第４負荷領域での吸気充填効率が高まるだけでなく、燃焼室内を新気ガスにより冷却するので、耐ノッキング性も向上して機関トルクの絶対値を高めることができる。
【０１１２】
すなわち、前述の排気上死点(ＴＤＣ)において、ピストン冠面と燃焼室上壁との間の容積に残った高温の燃焼ガスをも吸い出され、これによって、耐ノッキング性を向上できる。
【０１１３】
ここで、図５で示すように遷移負荷領域Ｈを経由して第４最大負荷領域でＥＧＲ率がほぼ「０」まで低下しているのは、排気上死点(ＴＤＣ)におけるピストン０１の冠面と燃焼室の上壁との間の燃焼ガスは、次の吸気行程で封じ込め内部ＥＧＲとして燃焼室内に取り込まれるが、この燃焼ガスも上述の掃気効果により排気ポ−ト側に吸いだされるためである。
【０１１４】
そして、上述したように温度が低い新気ガスが導入され、その新気ガスは外部ＥＧＲガスより更に低温であるので、図５に示すようにガス温度(Ｔ３)は更に新気温度並みのガス温度(Ｔ４)まで低下して、耐ノック性を高めることができる。また、この新気ガスの導入は充填効率が高くなることを意味しており、機関トルクも併せて高めることができる。
【０１１５】
以上述べた通り、本実施形態においては、負荷領域に対応して正バルブオーバーラップ区間(ＰＶＯ)と負バルブオーバーラップ区間(ＮＶＯ)を適切に設定したので、広範囲の負荷領域に亘って、良好な燃費性能を得ることができ、更には機関トルクも高めることができる。
【０１１６】
また、第１負荷領域での吸気バルブ４と排気バルブ５の開閉時期は、吸気側ＶＴＣ機構１Ａ、及び排気側ＶＴＣ機構１Ｂの各デフォルト位置とほぼ一致している。このデフォルト位置は、吸気側ＶＴＣ機構１Ａ及び排気側ＶＴＣ機構１Ｂの変換動力が作用しなかった場合の機械的安定位置のことである。
【０１１７】
したがって、停止時、及びクランキング時から第１負荷領域での吸気バルブ４と排気バルブ５の開閉時期はこのデフォルト位置に設定される。このため、クランキングが行われて機関始動による燃焼直後から、上述した燃焼改善効果が得られる。特に、冷機時においては、燃焼改善効果によって、顕著に冷機始動性を向上することができる。
【０１１８】
ところで、図４に示すように第１負荷領域と第２負荷領域を判定するための負荷判定閾値が同じに描いてあるが、実際にはヒステリシス(ｈ)を設定することが望ましい。
【０１１９】
図８に示しているように、負荷が増加する側へ変化する場合と、負荷が減少する側へ変化する場合とでは、負荷判定閾値を異ならせることが必要である。つまり、第１負荷領域から第２負荷領域に移行する場合では負荷判定閾値を「Ｌ(１→２)」とすると、第２負荷領域から第１負荷領域に移行する場合では負荷判定閾値を「Ｌ(１→２)−ｈ」とする。
【０１２０】
これにより、負バルブオーバーラップ区間(ＮＶＯ１)と正バルブオーバーラップ区間(ＰＶＯ２)の頻繁な切り換えを避けることができ、制御上のハンチングの抑制や、可変ＶＴＣ機構１Ａ、１Ｂの耐久性の向上等を図ることができる。
【０１２１】
次に、上述した本実施形態になるバルブタイミング特性を実行するための制御フローについて説明する。尚、この制御フローはコントローラ５２によって実行されるものである。図６Ａ、図６Ｂに基づき内燃機関の運転を再開する場合の制御フローを説明する。尚、内燃機関の停止状態から第１負荷領域に至るまでは、排気バルブ５の開閉時期(ＥＶＯ)、(ＥＶＣ)、及び吸気バルブ４の開閉時期(ＩＶＯ)、(ＩＶＣ)は同一に設定されている。
【０１２２】
≪ステップＳ２０≫
まず図６Ａにおいて、ステップＳ２０においては、内燃機関を始動する機関始動情報や、内燃機関の運転条件情報を読み込む。内燃機機関を始動する機関始動情報としては、代表的にはキーオン信号、或いはスタータ起動信号があり、また、内燃機関の運転条件情報を示す信号としては数多くあるが、本実施形態では、内燃機関の回転数情報、吸気量情報、水温情報、要求負荷情報(アクセル開度)等があり、更に排気側ＶＴＣ機構１Ｂや吸気側ＶＴＣ機構１Ａの実位置情報等がある。このステップＳ２０で各種情報を読み込むとステップＳ２１に移行する。
【０１２３】
≪ステップＳ２１≫
ステップＳ２１においては、機関始動条件かどうかを判断する。この判断は、例えば、スタータ起動信号を監視しておけばよく、スタータ起動信号が入力されないとリターンに抜けて次の起動タイミングを待つことになる。一方、スタータ起動信号が入力されると、機関始動条件と判断してステップＳ２２に移行する。
【０１２４】
≪ステップＳ２２≫
ステップＳ２２においては、スタータ起動信号を受けてスタータモータによる内燃機関のクランキングを開始する。そして、クランキングが開始されるや否やステップＳ２３に移行する。
【０１２５】
≪ステップＳ２３≫
ステップＳ２３においては、排気側ＶＴＣ機構１Ｂ、及び吸気側ＶＴＣ機構１Ａにデフォルト位置に移行するように、少なくとも排気バルブの排気閉時期(ＥＶＣ)、吸気バルブの吸気開時期(ＩＶＯ)の変換制御信号を排気側ＶＴＣ機構１Ｂの排気電磁切換弁２９、及び吸気側ＶＴＣ機構１Ａの吸気電磁切換弁３０に出力する。
【０１２６】
これは、油圧ポンプの作動油の油圧が上昇した時に、例え何らかの原因で締結ピンが締結穴から抜けて締結状態が解除されていた場合であっても、排気側ＶＴＣ機構１Ｂ、及び吸気側ＶＴＣ機構１Ａのベーンをデフォルト位置に維持しておくための制御である。これによって、負バルブオーバーラップ区間(ＮＶＯ)として負バルブオーバーラップ区間(ＮＶＯ１)が確実に形成されるものである。尚、図４にある通り、停止状態、アイドル状態、及び第１負荷領域での負バルブオーバーラップ区間(ＮＶＯ１)は、同一の負バルブオーバーラップ区間(ＮＶＯ)を目標とするものである。
【０１２７】
そして、変換制御信号を排気側ＶＴＣ機構１Ｂの排気電磁切換弁２９、及び吸気側ＶＴＣ機構１Ａの吸気電磁切換弁３０に出力すると、ステップＳ２４に移行する。
【０１２８】
≪ステップＳ２４≫
ステップ２４においては、排気側ＶＴＣ機構１Ｂ、及び吸気側ＶＴＣ機構１Ａの実位置情報から、排気側ＶＴＣ機構１Ｂ、及び吸気側ＶＴＣ機構１Ａがデフォルト位置に移行したか、つまり、排気バルブ５の排気閉時期（ＥＶＣ）が第１排気閉時期(ＥＶＣ１)に設定され、また、吸気バルブ４の吸気開時期(ＩＶＯ)が第１吸気開時期(ＩＶＯ１)に設定されたかどうかが判断される。
【０１２９】
そして、排気バルブ５が第１排気閉時期(ＥＶＣ１)に設定されていない、及び吸気バルブ４が第１吸気開時期(ＩＶＯ１)に設定されていないと判断されると、再びステップＳ２３に戻り、排気バルブ５が第１排気閉時期(ＥＶＣ１)に設定されている、及び吸気バルブ４が第１吸気開時期(ＩＶＯ１)に設定されていると判断されるとステップＳ２５に移行する。
【０１３０】
≪ステップＳ２５≫
ステップＳ２５においては、スタータモータの回転に合せて内燃機関を始動するため燃料噴射弁や点火装置へ出力制御信号を供給する。これによって内燃機関の回転数が増加していき、これに伴って油圧ポンプの作動油の油圧が上昇することになる。燃料噴射弁や点火装置へ出力制御信号を供給するとステップＳ２６に移行する。
【０１３１】
≪ステップＳ２６≫
ステップＳ２６においては、内燃機関の機関温度（冷却水温度）を検出して所定温度を超えたかどうかを判断する。所定温度を超えていなければ冷機状態と判断してリターンに抜けて次の起動タイミングを待つ、或いは別の制御フローを実行することになる。一方、所定温度を超えていれば冷機状態から暖機完了したと判断して、再度運転条件情報を読み込むと共にステップＳ２７に移行する。尚、ステップ２７より以降は図６Ｂに示している。
【０１３２】
≪ステップＳ２７、ステップＳ２８、ステップＳ２９≫
ステップＳ２７においては、スロットルバルブの開度、或いはアクセルペダルの開度から現在の負荷状態を検出し、現在の負荷が低負荷領域である第１負荷領域かどうかを判断する。第１荷領域と判断されると、ステップＳ２８に移行して、外部ＥＧＲ弁５６の開度を最小開度に変換制御する。
【０１３３】
更に、ステップＳ２９に移行して、排気側ＶＴＣ機構１Ｂ、及び吸気側ＶＴＣ機構１Ａを駆動して、第１負荷領域の排気バルブの第１排気閉時期(ＥＶＣ１)、及び吸気バルブの第１吸気開時期(ＩＶＯ１)に制御して、負バルブオーバーラップ区間(ＮＶＯ１)を形成する。
【０１３４】
ステップＳ２９の処理を完了すると、リターンに抜けて次のコントローラの起動タイミングを待つことになる。一方、ステップＳ２７で第１負荷領域ではないと判断されるとステップＳ３０に移行する。
【０１３５】
≪ステップＳ３０、ステップＳ３１、ステップＳ３２≫
ステップＳ３０においては、スロットルバルブの開度、或いはアクセルペダルの開度から現在の負荷状態を検出し、現在の負荷が第２負荷領域かどうかを判断する。第２負荷領域と判断されると、ステップＳ３１に移行して、外部ＥＧＲ弁５６の開度を最小開度に変換制御する。
【０１３６】
更に、ステップＳ３２に移行して、排気側ＶＴＣ機構１Ｂ、及び吸気側ＶＴＣ機構１Ａを駆動して、第２負荷領域の排気バルブの第２排気閉時期(ＥＶＣ２)、及び吸気バルブの第２吸気開時期(ＩＶＯ２)に制御して、正バルブオーバーラップ区間(ＰＶＯ２)を形成する。
【０１３７】
ステップＳ３２の処理を完了すると、リターンに抜けて次のコントローラの起動タイミングを待つことになる。一方、ステップＳ３０で第２負荷領域ではないと判断されるとステップＳ３３に移行する。
【０１３８】
≪ステップＳ３３、ステップＳ３４、ステップＳ３５≫
ステップＳ３３においては、スロットルバルブの開度、或いはアクセルペダルの開度から現在の負荷状態を検出し、現在の負荷が第３負荷領域かどうかを判断する。尚、この第３負荷領域は、図４、図５で示す遷移負荷領域Ｐ、Ｈを含めた判断とされている。このため、第３負荷領域と判断されるとステップＳ３４に移行し、更に遷移負荷領域Ｐと判断されると、図５に示しているＥＧＲ率が得られるように、外部ＥＧＲ弁５６の開度を、検出された負荷に対応した開度に変換制御する。
【０１３９】
更に、ステップＳ３５に移行して、排気側ＶＴＣ機構１Ｂ、及び吸気側ＶＴＣ機構１Ａを検出された負荷に対応して駆動し、第３負荷領域の排気バルブの第３排気閉時期(ＥＶＣ３)、及び吸気バルブの第３吸気開時期(ＩＶＯ３)に制御して、ゼロバルブオーバーラップ(「０」ＶＯ３)を形成ものである。また、遷移負荷領域Ｈと判断されると、図５に示しているＥＧＲ率が得られるように、外部ＥＧＲ弁５６の開度を、検出された負荷に対応した開度に変換制御する。
【０１４０】
尚、遷移負荷領域Ｐ、或いは遷移負荷領域Ｈと判断されると、図５に示しているように、正バルブオーバーラップ区間(ＰＶＯ２)からゼロバルブオーバーラップ(「０」ＶＯ３)に至る正バルブオーバーラップ区間(ＰＶＯ)、或いはゼロバルブオーバーラップ(「０」ＶＯ３)から正バルブオーバーラップ区間(ＰＶＯ４)に至る正バルブオーバーラップ区間(ＰＶＯ)が得られるように、吸気バルブ４と排気バルブ５の開閉時期を検出された負荷に対応した開閉時期に変換制御する。
【０１４１】
ステップＳ３５の処理を完了すると、リターンに抜けて次の起動タイミングを待つことになる。一方、ステップＳ３３で第３負荷領域ではないと判断されるとステップＳ３６に移行する。
【０１４２】
≪ステップＳ３６、ステップＳ３７、ステップＳ３８≫
ステップＳ３６においては、スロットルバルブの開度、或いはアクセルペダルの開度から現在の負荷状態を検出し、現在の負荷が第４負荷領域かどうかを判断する。第４負荷領域と判断されると、ステップＳ３７に移行して、外部ＥＧＲ弁５６の開度を最小開度に変換制御する。
【０１４３】
更に、ステップＳ３８に移行して、排気側ＶＴＣ機構１Ｂ、及び吸気側ＶＴＣ機構１Ａによって、検出された負荷に対応して排気バルブの第４排気閉時期(ＥＶＣ４)、及び吸気バルブの第４吸気開時期(ＩＶＯ４)に制御する。この場合は、ゼロバルブオーバーラップ(「０」ＶＯ３)からＰＶＯ区間が大きくなる、正バルブオーバーラップ区間(ＰＶＯ４)を形成する。
【０１４４】
ステップＳ３８の処理を完了すると、リターンに抜けて次の起動タイミングを待つことになる。一方、ステップＳ３６で第４負荷領域ではないと判断されるとリターンに抜けて次の起動タイミングを待つことになる。
【０１４５】
以上の通り、本実施形態によれば、所定の第１負荷領域では、排気側可変動弁機構によって排気バルブが閉じられる排気閉時期が排気上死点前の第１排気閉時期に設定されると共に、吸気側可変動弁機構によって吸気バルブが開かれる吸気開時期が排気上死点後の第１吸気開時期に設定されて、排気バルブと吸気バルブには負バルブオーバーラップ区間が形成され、第１負荷領域を超える所定の第２負荷領域では、排気側可変動弁機構によって排気閉時期が排気上死点後の第２排気閉時期に設定されると共に、吸気側可変動弁機構によって吸気開時期が排気上死点前の第２吸気開時期に設定されて、排気バルブと吸気バルブには正バルブオーバーラップ区間が形成される。
【０１４６】
これによれば、第１負荷領域においては、負バルブオーバーラップ区間の設定による高温の内部ガスで燃焼室を高温化して燃焼を改善することで燃費を向上し、更に第１負荷領域より大きい第２負荷領域においては、正バルブオーバーラップ区間に切り換えて設定することで、ポンプ損失を低減すると共に、負オーバーラップ区間での内部ガスより低温の内部ガスとしてノック発生を抑制することで燃費を向上することができ、結果的に広い範囲の負荷領域に亘って燃費の向上を図ることができる。
【０１４７】
ところで、負バルブオーバーラップ区間(ＮＶＯ１)が形成される第１負荷領域から正バルブオーバーラップ区間(ＰＶＯ２)が形成される第２負荷領域に遷移する過渡状態においては、図３、図４からわかるように、吸気バルブ４の吸気閉時期(ＩＶＣ)は、第1吸気閉時期(ＩＶＣ１)と第２吸気閉時期(ＩＶＣ２)に示すように、吸気下死点(ＢＤＣ)を跨いで変化されることになる。
【０１４８】
このため、この変化の過程で充填効率がピークとなり、過渡ピークトルクが発生する可能性がある。また、これに加えて遷移過程で短い時間であるが、吸気下死点(ＢＤＣ)付近でゼロバルブオーバーラップ(「０」ＶＯ)も形成されるので、ＥＧＲ率が急減少して過渡ピークトルクが上昇する。
【０１４９】
この対策として、過渡ピークトルク抑制手段を備えることが有利である。負バルブオーバーラップ区間(ＮＶＯ１)から正バルブオーバーラップ区間(ＰＶＯ２)に遷移する過渡時において、過渡ピークトルク抑制手段によって内部ＥＧＲ量が急減少することにより生じる過渡ピークトルクの上昇を抑制することで、切換えトルクの急変現象を抑制することができる。過渡ピークトルク抑制方法としては、点火時期を遅角する、空燃比をリーン化する、吸気バルブの吸気閉時期(ＩＶＣ)を吸気下死点(ＢＤＣ)から離間させる、といった方法を採用することができる。
【０１５０】
一つの具体例として、点火時期の遅角制御を組み合せた例を説明する。この具体例では、図７に示す制御ステップＳ３９〜Ｓ４２を追加して、過渡ピークトルクを抑制する構成としている。以下、図７を用いてこれを簡単に説明する。尚、図６Ｂと同じ制御ステップは説明を省略する。
【０１５１】
≪ステップＳ３９≫
ステップＳ３９においては、第１負荷領域から第２負荷領域に遷移するかどうかを推定している。例えば、吸気側ＶＴＣ機構１Ａに設けた角度センサによって実際の吸気バルブ４の吸気開時期(ＩＶＯ)を検出し、この検出された吸気バルブ４の吸気開時期(ＩＶＯ)が、排気上死点(ＴＤＣ)に近づいているか、或いはゼロバルブオーバーラップ(「０」ＶＯ)に近づいているかといった履歴の判断を行うことで、第１負荷領域から第２負荷領域に遷移するかどうかを推定している。
【０１５２】
尚、この履歴による判断は、吸気バルブ４の吸気閉時期(ＩＶＣ)が吸気下死点に近づいていることや、排気バルブ５の排気閉時期(ＥＶＣ)が排気上死点(ＴＤＣ)に近づいていることを検出して行うこともできる。
【０１５３】
そして、第１負荷領域から第２負荷領域に遷移しない場合はリターンに抜け、第１負荷領域から第２負荷領域に遷移すると推定されると、ステップＳ４０に移行する。
【０１５４】
≪ステップＳ４０≫
ステップＳ４０においては、過渡ピークトルクの発生を抑制するために、点火時期を所定角度だけ遅角する制御を実行する。点火時期を遅角するとトルクの発生が素早く抑制されるので、過渡ピークトルクを効率的に抑制することができる。点火時期を遅角する制御を実行すると、実行フラグに「１」を立ててリターンに抜ける。
【０１５５】
≪ステップＳ４１≫
ステップＳ４０の制御を実行した後の次の起動タイミングにおいて、ステップＳ３０で負荷状態が第２負荷領域にあると判定されると、ステップＳ４１においては、点火時期の遅角制御が実行されたかどうかを判定する。この判定は、ステップＳ４０で立てた実行フラグを監視することで可能である。実行フラグに「１」が立っていない場合はステップＳ３１に移行し、実行フラグに「１」が立っている場合はステップＳ４２に移行する。尚、ステップＳ３１、Ｓ３２はすでに説明したので省略する。
【０１５６】
≪ステップＳ４２≫
ステップＳ４２にいては、ステップＳ４０で設定した点火時期の遅角制御を解除して通常の点火時期の制御に復帰させる。このステップＳ４２が完了するとステップＳ３１に移行する。
【０１５７】
このように、点火時期を遅角して過渡ピークトルクの発生を抑制し、過渡ピークトルクの急変現象を抑制することができる。この点火時期の遅角制御は制御応答性が非常に良く、遅れの少ないトルク抑制が可能となる。
【０１５８】
また、負バルブオーバーラップ区間(ＮＶＯ１)から正バルブオーバーラップ区間(ＰＶＯ２)に遷移する過渡時において、燃焼室内に直接噴射される燃料の量を少なくして燃焼室内の混合気の空燃比を希薄側に移行して過渡ピークトルクを抑制し、過渡ピークトルクの急変現象を抑制することができる。この場合は過渡時の燃費性能を向上できる。
【０１５９】
更に、負バルブオーバーラップ区間(ＮＶＯ１)から正バルブオーバーラップ区間(ＰＶＯ２)に遷移する過渡時において、吸気バルブ４の吸気閉時期(ＩＶＣ)が第１負荷領域での第１吸気閉時期(ＩＶＣ１)に対して、吸気下死点(ＢＤＣ)より進角、或いは遅角する方向に離間するように設定して過渡ピークトルクを抑制し、過渡ピークトルクの急変現象を抑制することができる。この場合は、点火時期や空燃比を制御する場合に比べて、過渡状態の燃費性能や排気浄化性能を維持したまま過渡的ピークトルクの急変現象を抑制することができる。
【０１６０】
ここで、本実施形態では、例えばアクセルペダルが急激に踏み込まれて、一挙に第１負荷領域から第３負荷領域に遷移する際は、第２負荷領域の正オーバーラップ区間(ＰＶＯ２)を経過せずに、負オーバーラップ区間(ＮＶＯ１)からゼロバルブオーバーラップ(「０」ＶＯ３)に変換される。
【０１６１】
これにより、正オーバーラップ区間(ＰＶＯ２)を経過することで生じる、吸気側ＶＴＣ機構１Ａ、及び排気側ＶＴＣ機構１Ｂによる大きな位相角の変換動作を回避することができ、吸気側ＶＴＣ機構１Ａ、及び排気側ＶＴＣ機構１Ｂの制御を簡素化できるだけでなく、吸気側ＶＴＣ機構１Ａ、及び排気側ＶＴＣ機構１Ｂの変換時間を短縮でき、加速性能を向上することができる。
【実施例２】
【０１６２】
次に本発明の第２の実施形態について説明する。第１の実施形態では、可変動弁機構として作動角が変化しない、吸気側ＶＴＣ機構１Ａ、及び排気側ＶＴＣ機構１Ｂを用いた例を示したが、第２の実施形態では、吸気側可変動弁機構として作動角が変化される吸気側可変作動角機構(以下、吸気側ＶＥＬ機構と表記する)を追加して用いたものである。
【０１６３】
したがって、吸気バルブ４は、吸気側ＶＥＬ機構によって作動角と位相角が同時に変更されると共に、吸気側ＶＴＣ機構１Ａによっても位相角が変更される。
【０１６４】
そして、排気側ＶＴＣ機構１Ｂ、吸気側ＶＴＣ機構１Ａ、及び吸気側ＶＥＬ機構によるバルブタイミングは図９に示す通りである。基本的には第３負荷領域以降は第１の実施形態と同じであるので、これらの説明は省略する。したがって、以下では、第１負荷領域から第２負荷領域までの負荷領域について説明する。
【０１６５】
第１負荷領域では、吸気側ＶＥＬ機構の作動角(開弁区間)をやや拡大し、且つ吸気側ＶＴＣ機構１Ａによって、吸気バルブ４の吸気閉時期(ＩＶＣ)を、吸気下死点(ＢＤＣ)と圧縮上死点(ＴＤＣ)の間の中間付近まで遅らせた吸気閉時期(ＩＶＣ１´)としている。この点で、第１の実施形態と異なるが、第１負荷領域に関して、吸気バルブ４の開時期(ＩＶＯ１)や、排気バルブ５の第１排気開時期(ＥＶＯ１)、第１排気閉時期(ＥＶＣ１)は同一に設定されている。
【０１６６】
また、第２負荷領域では、更に吸気側ＶＥＬ機構の作動角を拡大し、且つ吸気側ＶＴＣ機構１Ａによって、吸気バルブ４の吸気開時期(ＩＶＯ)を、第１の実施形態と同様に第２吸気開時期(ＩＶＯ２)まで進角し、また、吸気閉時期(ＩＶＣ)を、第１負荷領域の吸気閉時期(ＩＶＣ１´)と同じ程度の吸気閉時期(ＩＶＣ２´)まで遅角している。この点で、第１の実施形態と異なるが、第２負荷領域に関して、吸気バルブ４の第２吸気開時期(ＩＶＯ２)や、排気バルブ５の第２排気開時期(ＥＶＯ２)、第２排気閉時期(ＥＶＣ２)は同一に設定されている。
【０１６７】
ここで、好ましくは、第１負荷領域の吸気閉時期(ＩＶＣ１´)と第２負荷領域の吸気閉時期(ＩＶＣ２´)は、(ＩＶＣ１´)≒(ＩＶＣ２´)とすれば、切り換え前後の充填効率が同等になり、円滑な負荷移行が可能となる。すなわち、第１負荷領域、第２負荷領域が、共に吸気閉時期(ＩＶＣ)の遅閉じ側のミラーサイクルとなっているので、第１負荷領域から第２負荷領域に遷移する際に、吸気閉時期(ＩＶＣ)が第１の実施形態のように、吸気下死点(ＢＤＣ)を跨ぐことがないので、過渡時の充填効率の上昇による過渡トルク変動が抑制される。
【０１６８】
また、遷移領域に示しているように、第１負荷領域から第２負荷領域に遷移する時は、排気ＶＴＣ機構１Ｂによって排気バルブ５の排気閉時期(ＥＶＣ)を遅角側に制御して、排気上死点(ＴＤＣ)に一致するように排気閉時期(ＥＶＣ１→２)に設定する。
【０１６９】
更に、吸気側ＶＥＬ機構によって吸気バルブ４の作動角を拡大し、且つ吸気側ＶＴＣ機構１Ａによって、吸気開時期(ＩＶＯ)を排気上死点(ＴＤＣ)に一致するように吸気開時期(ＩＶＯ１→２)に設定する。同時に、吸気閉時期(ＩＶＣ)を、第１負荷領域の吸気閉時期(ＩＶＣ１´)及び第２負荷領域の吸気閉時期(ＩＶＣ２´)に対してさらに遅角して、吸気閉時期(ＩＶＣ１´→２)に設定する。これによって、過渡トルクの変動を抑制することができる。
【０１７０】
次に、上述した本実施形態になるバルブタイミング特性を実行するための制御フローについて説明する。尚、図１０に示す制御フローは、特に第１負荷領域から第２負荷領域までの制御ステップを示している。
【０１７１】
≪ステップＳ２７、ステップＳ２８≫
ステップＳ２７においては、スロットルバルブの開度、或いはアクセルペダルの開度から現在の負荷状態を検出し、現在の負荷が低負荷領域である第１負荷領域かどうかを判断する。第１荷領域と判断されると、ステップＳ２８に移行して、外部ＥＧＲ弁５６の開度を最小開度に変換制御する。外部ＥＧＲ弁５６の開度の設定が完了するとステップＳ４３に移行する。
【０１７２】
≪ステップＳ４３≫
ステップＳ４３においては、排気側ＶＴＣ機構１Ｂ、吸気側ＶＴＣ機構１Ａ、及び吸気側ＶＥＬ機構を駆動して、第１負荷領域の排気バルブの第１排気閉時期(ＥＶＯ１)、第１排気閉時期(ＥＶＣ１)、及び吸気バルブの第１吸気開時期(ＩＶＯ１)、吸気閉時期(ＩＶＣ１´)に制御して、負バルブオーバーラップ区間(ＮＶＯ１)を形成する。ステップＳ４３の処理を完了すると、ステップＳ４４に移行する。
【０１７３】
≪ステップＳ４４≫
ステップＳ４４においては、第１負荷領域から第２負荷領域に遷移するかどうかを推定している。例えば、吸気側ＶＴＣ機構１Ａに設けた角度センサによって実際の吸気バルブ４の吸気開時期(ＩＶＯ)を検出し、この検出された吸気バルブ４の吸気開時期(ＩＶＯ)が、排気上死点(ＴＤＣ)に近づいているか、或いはゼロバルブオーバーラップ(「０」ＶＯ)に近づいているかといった履歴の判断を行うことで、第１負荷領域から第２負荷領域に遷移するかどうかを推定している。
【０１７４】
尚、この履歴による判断は、排気バルブ５の排気閉時期(ＥＶＣ)が排気上死点(ＴＤＣ)に近づいていることを検出して行うこともできる。
【０１７５】
第１負荷領域から第２負荷領域に遷移しない場合はリターンに抜け、第１負荷領域から第２負荷領域に遷移すると推定されるとステップＳ４５に移行する。
【０１７６】
≪ステップＳ４５≫
ステップＳ４５においては、排気側ＶＴＣ機構１Ｂ、吸気側ＶＴＣ機構１Ａ、及び吸気側ＶＥＬ機構を駆動して、遷移領域の排気バルブの排気閉時期(ＥＶＯ１→２)、排気閉時期(ＥＶＣ１→２)、及び吸気バルブの吸気開時期(ＩＶＯ１→２)、吸気閉時期(ＩＶＣ１´→２)に制御して、バルブオーバーラップ(ＮＶＯ1→「０」ＶＯ２)を形成する。ステップＳ４５の処理を完了すると、リターンに抜けて次のコントローラの起動タイミングを待つことになる。一方、ステップＳ２７で第１負荷領域ではないと判断されるとステップＳ３０に移行する。
【０１７７】
≪ステップＳ３０、ステップＳ３１≫
ステップＳ３０においては、スロットルバルブの開度、或いはアクセルペダルの開度から現在の負荷状態を検出し、現在の負荷が第２負荷領域かどうかを判断する。第２負荷領域と判断されると、ステップＳ３１に移行して、外部ＥＧＲ弁５６の開度を最小開度に変換制御する。外部ＥＧＲ弁５６の開度の設定が完了するとステップＳ４６に移行する。
【０１７８】
≪ステップＳ４６≫
ステップＳ４６においては、排気側ＶＴＣ機構１Ｂ、吸気側ＶＴＣ機構１Ａ、及び吸気側ＶＥＬ機構を駆動して、第２負荷領域の排気バルブの第２排気閉時期(ＥＶＯ２)、第２排気閉時期(ＥＶＣ２)、及び吸気バルブの第２吸気開時期(ＩＶＯ２)、吸気閉時期(ＩＶＣ２´)に制御して、正バルブオーバーラップ区間(ＰＶＯ２)を形成する。ステップＳ４６の処理を完了すると、リターンに抜けて次のコントローラの起動タイミングを待つことになる。一方、ステップＳ３０で第１負荷領域ではないと判断されるとステップＳ３３に移行する。これ以降は第１の実施形態と同様なので説明を省略する。
【０１７９】
上述したように、第１負荷領域から第２負荷領域に移行する遷移領域においては、排気バルブ５の排気閉時期(ＥＶＣ)を排気上死点(ＴＤＣ)に設定して排気閉時期(ＥＶＣ１→２)とし、吸気バルブ４の吸気開時期(ＩＶＯ)を排気上死点(ＴＤＣ)に設定して吸気開時期(ＩＶＯ１´→２)としているので、バルブオーバーラップはゼロバルブオーバーラップ(ＮＶＯ1→「０」ＶＯ２)に近づく。このため、内部ＥＧＲ率が一時的に低下するので、その分だけ過渡トルクが上昇してトルク変動を生じる。
【０１８０】
そこで、本実施形態では、吸気バルブ４の吸気開時期（ＩＶＯ１→２)を維持したまま、吸気側ＶＥＬ機構によって作動角を拡大して吸気バルブ４の吸気閉時期（ＩＶＣ１´→２)となるように吸気閉時期(ＩＶＣ)を遅角している。
【０１８１】
これによって、新気充填効率を低下させることができるので、内部ＥＧＲ率の一時的な低下による過渡トルクの上昇を抑制することが可能となる。このように、本実施形態では、第１負荷領域から第２負荷領域に遷移するときの過渡トルクの変動を抑制することができる。
【０１８２】
以上説明した実施形態においては、油圧式の可変位相機構を示したが、油圧に限らず電動式の可変位相機構を使用することもでき、また、可変作動角機構を併設することも可能である。更に、外部ＥＧＲ弁の構造としてはバタフライ弁を示したが、ポペット弁であっても差し支えない。本発明の主旨を満足するものであれば、具体的な可変動弁機構や外部ＥＧＲ弁の具体的形態や構成は限定されない。
【０１８３】
尚、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【０１８４】
０１…ピストン、０２…クランクシャフト、０３…コンロッド、０４…燃焼室、０５…点火栓、１Ａ…吸気側可変動弁機構、１Ｂ…排気側可変動弁機構、２Ａ、２Ｂ…位相制御用油圧アクチュエータ、４…吸気バルブ、５…排気バルブ、５１…電制スロットルバルブ、５２…コントローラ、５３…排気ガス浄化触媒、５４…排気ガス再循環通路、５５…ＥＧＲクーラー、５６…外部ＥＧＲ弁。
【図１】
2020007927.tif 000003
【図２】
2020007927.tif 000004
【図３】
2020007927.tif 000005
【図４】
2020007927.tif 000006
【図５】
2020007927.tif 000007
【図６Ａ】
2020007927.tif 000008
【図６Ｂ】
2020007927.tif 000009
【図７】
2020007927.tif 000010
【図８】
2020007927.tif 000011
【図９】
2020007927.tif 000012
【図１０】
2020007927.tif 000013